(57)【要約】  【課題】  テキサス・リグなどの擬似餌仕掛けが有する問題点を解消し、水中への沈下が速く、水中の障害物に引っ掛かることが少なく、大きな釣果をあげられるようにする。  【解決手段】  軟質擬似餌を用いた擬似餌仕掛けであって、軟質疑似餌２０の頭部側の先端に配置される錘３０と、錘３０の後端に突出して配置され、軟質疑似餌２０の頭部に貫入される貫入部３４と、錘３０の貫入部３４に配置され、軟質疑似餌２０に埋め込まれる釣針係止部３６と、針先側を軟質疑似餌２０の頭部側に配置して軟質疑似餌２０の長さ方向に沿う姿勢で軟質疑似餌２０に埋め込まれ、軟質疑似餌２０の内部で錘３０の釣針係止部３６に針先側から係止される釣針１０と、軟質疑似餌２０に埋め込まれた釣針１０の後端に配置され、軟質疑似餌２０の後端から露出する釣糸取付部１４とを備える。【選択図】  図１
2006325468.tif 000002
【特許請求の範囲】
【請求項１】
軟質擬似餌を用いた擬似餌仕掛けであって、
前記軟質疑似餌の頭部側の先端に配置される錘と、
前記錘の後端に突出して配置され、前記軟質疑似餌の頭部に貫入される貫入部と、
前記錘の貫入部に配置され、前記軟質疑似餌に埋め込まれる釣針係止部と、
針先側を前記軟質疑似餌の頭部側に配置して軟質疑似餌の長さ方向に沿う姿勢で軟質疑似餌に埋め込まれ、軟質疑似餌の内部で前記錘の釣針係止部に針先側から係止される釣針と、
前記軟質疑似餌に埋め込まれた釣針の後端に配置され、前記軟質疑似餌の後端から露出する釣糸取付部と
を備える擬似餌仕掛け。
【請求項２】
請求項１に記載の擬似餌仕掛けに用いられる錘であって、
高比重材料からなり先端が先細り形状をなす錘本体と、
前記錘の後端に突出して配置される軸状の貫入部と、
前記貫入部に配置され、釣針が針先側から係止できる釣針係止部と
を備える擬似餌仕掛け用錘。
【請求項３】
前記錘本体が銃弾状に成形されてなり、
前記貫入部が前記錘本体の成形時に銃弾状に成形される錘本体の後端部分に一部が埋め込まれて一体化されてなる
請求項２に記載の擬似餌仕掛け用錘。
【発明の詳細な説明】
【技術分野】
【０００１】
本発明は、擬似餌仕掛けおよび擬似餌仕掛け用錘に関し、詳しくは、軟質材料で生餌の形態に似せて作られたワームとも呼ばれる軟質擬似餌を用いて、バスなどの魚を釣るのに利用される擬似餌仕掛けと、このような擬似餌仕掛けに使用する錘とを対象にしている。
【背景技術】
【０００２】
バス釣りなどのスポーツフィッシングにおける釣り技術として、ワーム〔worm〕と呼ばれる軟質疑似餌を用いた仕掛け（リグ〔rig〕とも呼ばれる）が良く知られている。ワームは、魚が好んで餌にする昆虫などの生餌の形態に似せて、軟質のゴムや樹脂材料を成形してなる疑似餌である。釣り針に取り付けられたワームは、水中で柔軟に変形したり揺れ動いたりすることで、魚を誘引する効果が高くなる。
このようなワームを用いた釣りの仕掛け構造が種々知られている。
例えば、テキサス・リグと呼ばれる仕掛けがある。ワームの長さ方向に沿って釣り針を埋め込むように突き刺して取り付ける。通常、ワームのうち昆虫などの頭部に相当する形状部分に釣り針の後端の釣り糸取付孔が配置され、釣り針の針先側がワームの尻部側に配置されるように取り付けられる。ワームの後端から突き出した釣り針の後端に、釣り糸が結び付けられる。釣り糸には、軸方向に貫通孔があいた銃弾形（バレットとも呼ばれる）の錘に通されており、釣り針の上端すなわちワームの先端に錘が配置される。ワームが安定して取り付けられ、ワームの運動も良好に行なわれ、釣り針がワームの外に大きく露出しないので魚に警戒され難いなどの利点があるとされている。
【０００３】
特許文献１には、釣り針に擬似ワームを取り付けるための固定具として、錘に軸状の挿通体部を有し、挿通体部の先端に針先挿通孔部をあけた構造が示されている。ワームの胴部分を横断するようにして挿通体部を突き刺す。釣り針を、挿通体部とは反対側からワームに突き刺し挿通体部の針先挿通孔部に通す。これによって、釣り針と固定具との間に挟まれたワームが確実に固定できるとされている。
【特許文献１】特開２００４−２０１５５１号公報
【発明の開示】
【発明が解決しようとする課題】
【０００４】
前記したテキサス・リグは、水中に投入されたときに目的の深度までの沈下が遅いという問題がある。
釣り針の上端側に錘が取り付けられていても、生餌に似せるために複雑な凹凸形状や突出物が設けられたワームが仕掛けの最下端に存在するため、水中で非常に大きな抵抗を発生し、沈下が遅くなるのである。また、嵩のあるワームが、水中の水草や藻などの障害物に引っ掛かり易いという問題もある。
特に、水中で釣り針の上端側にワームの頭部が配置され、下端側にワームの尻部が配置されることで、水中の抵抗を余計に増やしたり障害物に引っ掛かり易くなったりする。一般的なワームの形状は、昆虫や水中の小生物に似せているので、頭部側よりも尻部側にかけて大きくなったり、突起物が張り出したりしている形状が多い。釣り糸を引いてワームが泳ぐように動かすためにも、ワームは、頭部側から尻部側にかけて拡がるような形状であることが多い。そうすると、ワームの尻部側を下にして水中を沈下するテキサス・リグは、水の抵抗が非常に大きくなる状態で沈下することになり、どうしても沈下が遅くなってしまう。
【０００５】
特許文献１の技術では、釣り針の先端にワームの腹部分を固定具で取り付けることになるので、ワームの長さ方向を水平に近い状態にしたままで水中に沈下させることになる。比較的に長さのあるワームの場合、固定具で釣り針に固定された部分の両側に水平方向の大きく張り出すことになる。前記したテキサス・リグよりも却って水の抵抗が大きくなり、水中への沈下は遅くなる。水中の障害物にも引っ掛かり易くなる。
本発明の課題は、前記したテキサス・リグなどの擬似餌仕掛けが有する問題点を解消し、水中への沈下が速く、水中の障害物に引っ掛かることが少なく、大きな釣果をあげられるようにすることである。
【課題を解決するための手段】
【０００６】
本発明にかかる疑似餌仕掛けは、軟質擬似餌を用いた擬似餌仕掛けであって、前記軟質疑似餌の頭部側の先端に配置される錘と、前記錘の後端に突出して配置され、前記軟質疑似餌の頭部に貫入される貫入部と、前記錘の貫入部に配置され、前記軟質疑似餌に埋め込まれる釣針係止部と、針先側を前記軟質疑似餌の頭部側に配置して軟質疑似餌の長さ方向に沿う姿勢で軟質疑似餌に埋め込まれ、軟質疑似餌の内部で前記錘の釣針係止部に針先側から係止される釣針と、前記軟質疑似餌に埋め込まれた釣針の後端に配置され、前記軟質疑似餌の後端から露出する釣糸取付部とを備える。
各構成について詳しく説明する。
【０００７】
〔軟質疑似餌〕
通常のスポーツフィッシングなどで使用されている軟質疑似餌と共通する技術が適用できる。
一般的に、軟質疑似餌の材料としては、柔軟性に優れたゴムや樹脂エラストマーなどが主体となる。一部に硬質のゴムや樹脂、繊維材料、編織布、不織布、紙、金属、セラミック、ガラスなどを用いることもある。
軟質疑似餌の形状は、生餌となる昆虫などの小生物に似せた形状が採用される。モデルとなる小生物には、ミミズや芋虫、ゴカイ、ムカデ、クモ、ザリガニ、カエル、イカ、小魚などがある。これらの生餌と出来るだけ良く似た形状を採用する場合のほか、これらの生餌の外形をデフォルメしたり簡略化したり拡大縮小したり別の形状と組み合わせたり抽象化したりした形状もある。軟質疑似餌の製造作業性や取り扱い性、仕掛けの使用性能なども考慮して、軟質疑似餌の形状を決定することができる。通常、軟質疑似餌の基本形状は、前記したモデルとなる生餌の頭部から尾部へと長さ方向に延びる棒状、柱状、板状などをなし、そこに、外側に張り出したり延びたり拡がったりする付加的な形状が付け加えられることが多い。
【０００８】
軟質疑似餌は、前記した生餌の表面色に近い色、あるいは、魚の誘引効果の高い色などに着色されていることがある。光反射性あるいは光拡散性の着色を施すこともできる。軟質疑似餌を構成する材料そのものに着色されている場合や、軟質疑似餌の表面に塗装や印刷、フィルム貼付けなどで彩色を施す場合もある。
〔錘〕
軟質疑似餌の頭部側の先端に配置される。
錘には、錘本体と貫入部と釣針係止部とを備えている。
＜錘本体＞
基本的には、通常の釣用の錘と共通する技術が適用できる。
【０００９】
錘本体の材料は、鉛やタングステンなどの比重が大きな金属材料や金属材料の合金が使用される。これらの金属材料や合金と樹脂材料やセラミック材料との複合材料も使用される。
錘本体の形状は、特に限定されないが、水中での抵抗が少ない形状のほうが沈下を速くできる。軟質疑似餌の反対側になる先端が先細り形状であれば、沈下時に水の抵抗が小さくなる。具体的な形状として、銃弾（バレット）形、円錐形、円錐台形、楕円球形、球形、分銅形、ダルマ形などが挙げられる。また、軸方向を基準にして非対称形状の錘本体は、水中において、真下でなく斜め方向に運動したり左右に揺れ動いたりするユニークな運動特性を発揮できる。
【００１０】
錘本体の重量は、釣りの目的や要求性能によって変わるが、通常、１．０〜３０．０ｇの範囲に設定できる。
錘本体には、貫入部を取り付けるための構造を備えておくことができる。具体的には、貫入部と嵌合したり係合したりする凹凸構造が設けられる。錘本体に、軸方向の中心を貫通する貫通孔を設けておけば、この貫通孔を利用して貫入部の取り付けが行い易い。軸状の貫入部を嵌め込む穴やねじ溝を設けておくこともできる。
＜貫入部＞
錘すなわち錘本体の後端に突出して配置される。軟質疑似餌の頭部に貫入される。
【００１１】
貫入部の材料は、軟質疑似餌に貫入できる程度の剛性や硬さを有していて、錘を釣針に確実に固定できる強度を有していればよい。具体的には、鋼材などの金属材料、合成樹脂材料、セラミック材料などが使用できる。軟鋼線材のように屈曲や湾曲による加工が行い易い可撓性の材料は、貫入部の作製や調整が容易である。錘本体と貫入部とを同じ材料で一体成形しておくこともできる。
貫入部の形状は、軟質疑似餌への貫入と釣針への係止とを果たすことができればよい。通常は、直線的に延びる軸状、棒状、管状、板片状などをなす。湾曲や屈曲している部分があってもよい。全長が同じ太さや断面形状であってもよいし、長さ方向で太さや断面形状が変化するものであってもよい。先端が根元よりも太くなっていたり、鈎針状のカエリが設けられていたりすれば、軟質疑似餌から抜け落ち難くなる。外周に螺旋状の突条線を設けることで、軟質疑似餌にねじ込み易く、かつ、抜け落ち難くすることもできる。但し、貫入部が釣針と連結固定された状態では、特別な抜け落ち防止の構造がなくても問題はない。
【００１２】
貫入部の先端は、軟質疑似餌に突き刺し易いように尖らせておくことができる。曲率半径が小さければ先端が丸いものであっても軟質疑似餌に突き刺すことができる。先端に小さな平坦面があっても柔軟な軟質疑似餌には刺し込むことができる。
貫入部の後端には、錘本体への取付構造を設けておくことができる。例えば、錘本体に嵌め込んだり係止したりする突起や凹凸、錘本体に設けた雌ねじにねじ込む雄ねじを設けておくことができる。弾力的に変形する係止バネを設けておくこともできる。錘本体が前記貫通孔を有する場合、この貫通孔に挿通できる軸状あるいは線状の構造を備えておいたり、貫通孔に挿通された部分の先端に貫通孔の端縁に係止される係止構造を設けたりすることができる。
【００１３】
錘本体に対する貫入部の取付手段として、錘本体あるいは貫入部を成形製造する成形型に、予め製造された相手側の貫入部あるいは錘本体の部品を取り付けて、成形と同時に一体化させる同時成型の技術も利用できる。例えば、錘本体を成形する成形型に、予め軸状などに作製され、針先係止部が形成加工された貫入部を装着しておき、錘本体の成形材料を成形型に注入して成形硬化させることで、成形された錘本体に貫入部の一部が埋め込まれた状態で一体化する。貫入部のうち錘本体に埋め込まれる個所に、屈曲部分や湾曲部分、膨出部分、張出部分等を設けておけば、埋め込まれた貫入部の抜け出しを防止できる。
貫入部を、錘本体に対して、溶接やロウ付け、ハンダ付け、接着などの手段で接合することもできる。さらに別の構造として、可撓性線材をＵ字形に成形して錘本体の貫通孔に挿通させ、Ｕ字の湾曲側を錘本体の後端から突出させ、Ｕ字の線端側を錘本体の先端に沿って屈曲させて錘本体に固定されてなる貫入部が採用できる。
【００１４】
錘本体から突出する貫入部の長さは、釣針係止部を確実に軟質疑似餌の内部に配置して、釣針を係止できるように設定される。通常は、１０〜２０ｍｍ程度の範囲に設定される。貫入部の外径は、軟質疑似餌への貫入が容易で、釣針係止部が形成でき、釣針と連結固定されたときに十分な機械的強度が維持できるように設定すればよい。通常、最大外径を３〜４ｍｍに設定できる。
＜釣針係止部＞
錘の貫入部に配置され、釣針を係止する機能を果たす。
釣針係止部の構造としては、釣針を挿通する係止孔や係止溝が採用できる。係止孔や係止溝の内径を、釣針の軸径に合わせて設定しておけばよい。係止孔の形状は、円形のほか、長孔、楕円孔、矩形や三角などの多角形孔などがある。貫入部が線材で構成されている場合は、線材を湾曲して構成されるＵ字形の空間を利用できる。
【００１５】
係止孔あるいは係止溝の内径としては、通常、２〜３ｍｍの範囲に設定できる。貫入部の材料や構造が釣針係止部を弾力的に変形できるようになっている場合は、係止できる釣針の径範囲が広くなる。
釣針係止部は、貫入部のうち、軟質疑似餌に埋め込まれる部分に配置しておく。軟質疑似餌に釣針を突き刺して針先の係止動作が行い易い位置に設けておくことが好ましい。通常は、貫入部の先端に設けるが、貫入部の軸方向で途中部分に設けることもできる。
釣針係止部は、１本の貫入部に１個所だけ設けておいてもよいし、複数個所に設けておくこともできる。内径の異なる複数の釣針係止部を組み合わせることもできる。複数個所の釣針係止部を選択的に使用することで、釣針の係止が行い易くなったり、寸法規格の異なる釣針にも対応させ易くなったりする。
【００１６】
〔釣針〕
通常の疑似餌を使った釣りに利用される釣針が使用できる。
釣針の材料や形状寸法などは、釣りの目的や対象魚種などに合わせて設定される。釣針の形状として、単純なＪ字形をなすものだけでなく、針先が屈曲するクランク形状、オフセット形状などもある。釣針の針先は鋭く尖っており、通常はカエリが設けられている。
軟質疑似餌に対する釣針の取り付けは、釣針の針先側を軟質疑似餌の頭部側に配置して軟質疑似餌の長さ方向に沿う姿勢で軟質疑似餌に埋め込む。軟質疑似餌の内部で錘の釣針係止部に針先側から係止される。このような取付形態に適した釣針が好ましい。
【００１７】
軟質疑似餌の外形寸法に対して、釣針は、軟質疑似餌にほぼ埋め込まれる程度の外形寸法に設定しておけば、取付状態で軟質疑似餌の外部にはみ出して水の抵抗を増やしたり魚に警戒感を与えたりすることが防げる。
釣針には、釣糸を取り付けるための釣糸取付部を有する。
＜釣糸取付部＞
釣糸の針先とは反対側の後端に配置される。釣針を軟質疑似餌に埋め込んだ状態で、軟質疑似餌の後端から露出するように配置される。
基本的には、通常の釣針において釣糸が結び付けられる取付孔と共通する形状や配置構造が採用される。
【００１８】
釣糸取取付部の先端は、軟質疑似餌に差し込めるように、尖っていたり、小さな曲率半径の円形状にしておいたりすることができる。
〔疑似餌仕掛けの組立て〕
通常は、軟質疑似餌に錘を取り付けたあと、釣針を取り付けることで、錘の釣針係止部に釣針を係止する。その後で釣針に釣糸を取り付ける。錘に有する貫入部の構造によっては、軟質疑似餌に釣針を取り付けたあとで、錘を軟質疑似餌に取り付けるとともに釣針を係止することも可能になる。
軟質疑似餌に対する錘の取り付けは、軟質疑似餌の長さ方向で頭部側の先端に錘の貫入部を貫入させる。貫入部を十分に差し込んで、錘本体の上端を軟質疑似餌に当接させることが望ましい。通常、錘および貫入部の軸心と軟質疑似餌の中心軸とを一致させることが望ましい。軟質疑似餌の中心軸と錘の軸心とを少しずらせることで、水中での挙動を複雑にさせることもできる。
【００１９】
軟質疑似餌に対する釣針の取り付けは、針先側を軟質疑似餌の頭部側に配置して軟質疑似餌の長さ方向に沿う姿勢で軟質疑似餌に埋め込む。釣針の後端が軟質疑似餌に埋め込まれた状態で、最後端の釣糸取付部を軟質疑似餌の後端から露出させておくことで、釣針および軟質擬似餌が釣糸に確実に支持され、釣針と軟質疑似餌の後部とが離れてしまうことが防げる。釣糸取付部への釣糸の結び目を軟質疑似餌の後ろに隠して、水中で釣糸の結び目に障害物が絡まったり、釣糸の結び目を魚に食い千切られたりすることも防げる。釣針の針先側は、軟質疑似餌に十分に埋め込まれていることが望ましい。外観的には、釣針が外部からほとんど見えないようになっていることが望ましい。このようにすることで、魚に警戒心を与えず、軟質疑似餌に食い付かせ易い。擬似餌仕掛けの取り扱い中に、釣針の針先が周辺のものや取り扱い者に引っ掛かったりすることが防止できる。勿論、釣針の一部が軟質疑似餌からはみ出していても構わない。
【００２０】
釣針を、釣糸取付部を除く後部および針先側の何れもが軟質疑似餌に埋め込まれるようにするには、最初に釣針の後部側を軟質疑似餌に突き刺して埋め込んだあと、釣針の針先側を軟質疑似餌の頭部側に差し込んで埋め込む方法が有効である。このとき、柔軟な軟質疑似餌を屈曲させたり湾曲させたり捻ったりすることで、釣針の埋め込みが行い易くなる。このようにして埋め込まれた釣針は、通常の取り扱いで外力が加わったぐらいでは、軟質疑似餌から容易に外れることがない。魚が食い付いて引き離そうとしても、容易に引き剥がされることはない。
軟質疑似餌の内部では、錘の釣針係止部に釣針を針先側から係止させる。軟質疑似餌の頭部近くに釣針係止部が埋め込まれていれば、軟質疑似餌の側方から釣針の針先を差し込むことで、容易に釣針係止部に係止させることができる。釣針係止部の係止孔や係止溝を通過した針先を、軟質疑似餌を横断させて貫通したり軟質疑似餌の後部側に差し込んだりすることで、釣針と錘の釣針係止部との連結は確実かつ強固になる。釣針と錘を互いに引き離すような外力が加わっても係止状態は容易に外れることはない。
【００２１】
軟質疑似餌と釣針と錘とが一体的に組み立てられれば、基本的な疑似餌仕掛けの組立ては完了する。釣針の釣糸取付部に釣糸を結び付ければ、釣りに使用することができる。釣糸を取り付ける前の状態まで組み立てられた疑似餌仕掛けを、釣りに使用するまで保管しておいたり、組み立てられた疑似餌仕掛けを販売流通に供給したりすることもできる。
〔疑似餌仕掛けによる釣り〕
疑似餌仕掛けを釣糸に取り付け、釣糸をリールや釣竿に取り付ければ、釣りを行うことができる。
バスなどの魚が生息する領域の水面に、釣糸の先端に取り付けられた疑似餌仕掛けを投入すれば、疑似餌仕掛けの重心は錘あるいは錘に近い下端近くに存在するので、最先端の錘を下にして安定した姿勢で迅速に水中を沈下する。最先端の錘が水をかき分けるようにして進み、嵩が高く水中で抵抗になり易い軟質疑似餌が錘の後になるので、水中での抵抗は極めて少なくなり、迅速な沈下が実現できる。水中に存在する藻や草木の枝葉などは、錘が押し退けたり滑ったりすることで容易に通過できる。軟質疑似餌や釣針が障害物に引っ掛かることも防止される。
【００２２】
疑似餌仕掛けが水底あるいは水底に近い所定の深さまで沈下すれば、釣糸の繰り出しを止めて魚の当たりを待てばよい。釣糸を上下に揺すったり水平方向に動かしたり引き戻し繰り出しを繰り返したりすることで、魚を誘う動作を行うこともできる。このとき、柔軟な軟質擬似餌が複雑な動きを行うことで、魚の誘引効果を高める。疑似餌仕掛けを激しく動かしても、軟質疑似餌と釣針および錘の一体性は損なわれ難く、軟質擬似餌が釣針から外れるような問題も起こり難い。
魚が疑似餌仕掛けに食い付けば、軟質疑似餌に埋め込まれた釣針が魚の口中に引っ掛かって魚を釣り上げることができる。釣針の先にある錘も、魚の口中に入っていれば、魚が釣針および錘を吐き出すことが難しくなり、魚に逃げられることが少なくなる。魚が軟質疑似餌を食い千切って逃れようとしても、軟質疑似餌だけを食い千切ることは難しく、釣針および錘が確実に魚の口中に引っ掛かって釣り上げることができる。
【発明の効果】
【００２３】
本発明にかかる擬似餌仕掛けは、貫入部と釣針係止部とを有する錘と、軟質疑似餌および釣針とを組み合わせて組立てられる疑似餌仕掛けである。
釣糸に取り付けられた疑似餌仕掛けを水中に投入すると、最先端の錘から水中に沈下していき、その後に軟質擬似餌が頭部側を下にして続き、この軟質疑似餌に釣針が埋め込まれ、軟質疑似餌の内部で釣針が錘と係止されている状態である。
その結果、水中における抵抗が極めて少なくなり、錘を先頭にして迅速に沈下することになる。疑似餌仕掛けを速やかに目的の水底あるいは水底近くの位置に正確に配置でき、大きな釣果を上げることができる。釣針と錘および軟質疑似餌の一体性が高いので、水中で外力が加わったり魚に食い付かれたりして疑似餌仕掛けが分解したりバラバラになったりすることがなく、耐久性にも優れている。
【発明を実施するための最良の形態】
【００２４】
図１〜３に示す擬似餌仕掛けは、バス釣りに適した仕掛けであり、錘３０、軟質疑似餌２０、釣針１０および釣糸Ｌで構成されている。
〔錘〕
図２に詳しく示すように、錘３０は、錘本体３２、貫入部３４、釣糸係止部３６を有する。
錘本体３２は、鉛やタングステンなどの高比重材料からなり、全体が銃弾状をなす。具体的には、概略円柱状の先端が先細りになって滑らかな流線型に尖っている。後端は平坦である。このような形状は、流体抵抗が非常に少ない形態であり、一般的にバレットシンカーと呼ばれる錘の形態である。錘本体３２の軸方向の中心線に沿って細い貫通孔３８を有する。
【００２５】
貫入部３４は、ペンチなどを使って屈曲させたり湾曲させたりして成形できる可撓性を有する細い軟鋼線からなる。全体が概略Ｕ字形に湾曲成形されている。Ｕ字形の幅を少し狭めるようにして、錘本体３２の貫通孔３８に挿通されている。Ｕ字形の湾曲側が錘本体３２の後端から突出しており、Ｕ字形の中央に生じる空間が釣糸係止部３６になる。湾曲側の反対になるＵ字形の一対の線端は、錘本体３２の先端で貫通孔３８から突出し、錘本体３２の外面に沿って折り曲げられており、貫入部３４が錘本体３２に固定される。
〔軟質疑似餌〕
軟質疑似餌２０は、軟質樹脂エラストマーなどの成形品からなり、生餌として使用される芋虫の形態を象ったような円柱部２２と、円柱部２２の後端に延びる多数の紐状部２４とを有する。円柱部２２が外面には縞状の凹凸模様が成形されている。このような形態は、魚に対する誘引効果や水中での動きなどの考慮して決定されている。円柱部２２の先端が生餌の頭部に相当し、紐状部２４が生餌の尻部に相当する。
【００２６】
〔釣針〕
一般的な釣用の釣針１０が使用されている。釣針１０は、鋼線材からなり、鉤状に湾曲しており、針先１２には鋭く尖っている。針先１２と反対の端部には釣糸Ｌが結び付けられる貫通孔からなる釣糸取付部１４が設けられている。
〔仕掛けの組立て構造〕
図３に示すように、錘３０、軟質疑似餌２０および釣針１０がそれぞれ別個に用意される。
軟質疑似餌２０の頭部になる円柱部２２の先端に、錘３０の貫入部３４が差し込まれる。貫入部３４の先端は小さな円環状に成形されていて尖ってはいないが、軟質疑似餌２０を構成する材料は非常に柔らかいので、貫入部３４を押し込むようにすれば、容易に差し込むことができる。
【００２７】
図１に示すように、錘本体３２の平坦な後端面が、軟質疑似餌２０の先端面に当接し、貫入部３４が軟質疑似餌２０の内部に埋め込まれた状態になる。
次に、軟質疑似餌２０に釣針１０を取り付ける。図３に示すように、釣針１０の後端の釣糸係止部１４を、軟質疑似餌２０の円柱部２２の外面で後寄りから斜め後方に突き刺す。さらに、釣針１０の針先１２を、円柱部２２の外面で先端近くから突き刺す。軟質疑似餌２０は非常に柔らかく伸び縮みも良いので、釣針１０を突き刺す方向に合わせて軟質疑似餌２０を曲げたり引き伸ばしたりすることによって、釣針１０のほぼ全体が、軟質疑似餌２０に埋め込まれた状態にすることができる。
【００２８】
図１の形態で、釣針１０の釣糸係止部１４から針先１２に至る長さ方向と、軟質疑似餌２０の長さ方向とがほぼ平行になっている。釣針１０の後端側は、軟質疑似餌２０の円柱部２２の中心に埋め込まれ、釣糸係止部１４が円柱部２２の後端面から少し突き出されている。釣針１０の中央部分は、軟質疑似餌２０の円柱部２２の外側面から少しはみ出た状態で湾曲している。釣針１０の下端の湾曲部分は、再び軟質疑似餌２０の円柱部２２に生め込まれている。釣針１０の針先１２に近い部分も、ほぼ軟質疑似餌２０の円柱部２２に埋め込まれている。
このようにして、釣針１０のほぼ全体が軟質疑似餌２０に埋め込まれて隠されていれば、釣針１０が魚の目に付き難く警戒心を起こさせ難い。水中で水の抵抗を受けることも少なくなる。魚が軟質疑似餌２０だけを食い千切ってしまうことも無くなる。釣針１０の針先１２が飛び出していなければ、針先１２に水中で藻などの障害物が引っ掛かることも防止できる。疑似餌仕掛けを取り扱うときにも、針先１２が手などに突き刺さることも防げる。
【００２９】
図１（ｂ）に示すように、釣針１０は、軟質疑似餌２０の内部で、錘３０の貫入部３４に有する釣針係止部３６に挿通して係止されている。すわなち、軟質疑似餌２０の円柱部２２に釣針１０の針先１２を突き刺すときに、円柱部２２の先端近くで、錘３０の釣針係止部３６が存在する付近を中心に向かって突き刺したあと、円柱部２２の後方側に掬い上げるようにすれば、釣針１０は針先１２から下端の湾曲部分までが釣針係止部３６に挿通される。この状態で、釣針１０と錘３０とは固定される。錘３０を下方に引き下げる力が加わっても、釣針１０および軟質疑似餌２０から脱落することはない。釣針１０のほうも、軟質疑似餌２０から抜け出すことが阻止される。疑似餌仕掛けに魚が食い付いて激しく動いたり、釣糸Ｌを急速に引き上げたりしても、釣針１０、軟質疑似餌２０および錘３０は、容易に分解されたり脱落したりすることがない。
【００３０】
釣針１０のうち、釣糸係止部１４は、軟質疑似餌２０の円柱部２２の後端から突き出しているので、ここに釣糸Ｌを結び付ければ、疑似餌仕掛けは完成する。図示を省略しているが、釣糸Ｌは釣竿やリールにつながれて支持される。釣糸係止部１４が、多数の紐状部２４の中に隠されているので、水中で障害物に引っ掛かったり擦れたり魚に噛まれたりし難く、釣糸Ｌが切れたり結び目が解けたりすることが防止される。
〔仕掛けの動作〕
図１の形態で組立てられた疑似餌仕掛けは、池や河川などの水面から水中に投入して使用される。
【００３１】
釣糸Ｌの先端に取り付けられた仕掛けは、最先端に錘３０が存在し、その後に軟質疑似餌２０が配置され、軟質疑似餌２０に釣針２０が埋め込まれた状態である。砲弾状の錘３０は水の抵抗が極めて少なく、重量のある錘３０を先頭に迅速に水中を沈下することになる。錘３０の側方を通過する水の流体力学的な作用で、錘３０の沈下方向が正確に錘３０の先端方向を向き、直進性が高くなる。水中に藻や草木の枝などの障害物が存在していても、表面の滑らかな錘３０が押し退け掻き分けるようにして障害物の下方に侵入する。軟質疑似餌２０および釣針１０は、錘３０の後に隠れた状態になっているので、軟質疑似餌２０および釣針１０が水中で大きな抵抗を生じることがない。錘３０で押し退けられた空間を軟質疑似餌２０および釣針１０が通過するので、障害物に引っ掛かることもない。
【００３２】
所定の深さまで疑似餌仕掛けが沈めば、その位置で魚の食い付きを待てば良い。釣り糸１２を断続的に上下させれば、軟質疑似餌２０の紐状部２４が不定形に動いて、魚を誘引する効果を発揮する。釣糸Ｌを水平方向に動かすと、重くて慣性の大きな錘３０を基点にして上方の軟質疑似餌２０あるいは紐状部２４が傾いたり揺れたりすることで、魚の誘引効果が高まる。
軟質疑似餌２０に魚が食い付くと、必然的に、軟質疑似餌２０に埋め込まれた釣針１０を飲み込むことになる。魚の当たりをみて、釣糸Ｌを引き上げれば、釣針１０を魚に確実に引っ掛けて釣り上げることができる。
【００３３】
〔錘の変更例〕
前記実施形態とは少し形状あるいは構造の異なる錘３０を例示する。基本的な材料や構成は共通するので、相違点を主にして説明する。
図４（ａ）に示す錘３０は、錘本体３２の全体形状は前記実施形態と同じ銃弾状をなす。但し、錘本体３２の軸心に貫通孔３８は設けられていない。錘本体３２の先端は滑らかな曲面状をなす。貫入部３４は、鋼線を二つ折りにするとともに一部を屈曲させたり湾曲させたりして、上端には円形の釣針係止部３６を２個、上下に間隔をあけて設け、下部は錘本体３２の上端から内部に埋め込まれ、下端の一方が外向き水平方向に折り曲げられて折曲端３５になっている。
【００３４】
このような錘３０の製造は、前記した湾曲形状および屈曲形状の貫入部３４を製造したあと、錘本体３２を成形製造する成形型に、貫入部３４を装着し、成形型を型閉めしたあと、錘本体３２の成形材料を注入する。錘本体３２の成形材料が成形硬化したあと、成形型から取り出せば、錘本体３２に貫入部３４の一部が埋め込まれた状態の錘３０が得られる。
錘本体３２と貫入部３４の一体性が良好で生産性良く製造できる。屈曲端３５が錘本体３２に埋め込まれていることで、貫入部３４が抜け難い。貫入部３４に複数の針先係止部３６を有するので、何れの針先係止部３６に釣針１０を係止させてもよく、釣針１０の係止操作が行い易い。
【００３５】
図４（ｂ）に示す錘３０は、錘本体３２が、円錐台形状をなす。下端側が先細りになっている。貫入部３４は、軟鋼線をＵ字形に折り曲げた上で、軸方向の中間部分を捻ることで１本の軸状にしている。上端には長孔状の釣針係止部３６が構成され、下端は、錘本体３２の下端面に沿って水平方向に折り曲げている。
錘３０の下端面が平坦であると、疑似餌仕掛けを水底まで沈下させたときに、水底に錘３０の下端面が当接して、疑似餌仕掛けの全体が起立した状態になる。釣糸Ｌを緩めても、重さのある錘３０を下にして起立した状態を安定して維持できる。魚の歓心を集め易い。水の流れなどで、上方の軟質疑似餌２０が左右に揺れれば、さらに魚を誘引する効果が高まる。水底の泥などに埋まり難くなる効果もある。また、錘３０の先端が少し水底に埋まっても、上方部分は水底近くに立った状態になって、魚を誘引することができる。
【００３６】
図４（ｃ）に示す錘３０は、錘本体３２が楕円球状あるいはラグビーボール状をなす。楕円球の長軸方向の一端に貫入部３４が配置される。貫入部３４は、金属や樹脂の成形品からなり、軸棒状をなしている。錘本体３２に穴をあけたり穴にねじを切ったりしておき、そこに貫入部３４に下端を嵌め込んだりねじ込んだりして取り付ける。貫入部３４の上端は鋭く尖った矢じり形状をなしており、軟質疑似餌２０への貫入が行い易くなっている。貫入部３４の上端近くには釣針係止部となる貫通孔３６があけられている。
楕円球状の錘３０も、下端側は先細り形状になっているので、水中への沈下はスムーズで障害物に引っ掛かり難い。
【００３７】
〔貫入部の変更例〕
図５は、さらに貫入部３４および釣針係止部３６の構造が異なる例を示す。ここでも、基本的な材料や構造は前記各実施形態と共通するので、相違点を主に説明する。図５では、錘本体３２の詳しい構造および貫入部３４の取付構造は図示を省略しているが、前記実施形態と共通する構造が採用される。
図５（ａ）では、貫入部３４をバネ性のある鋼線材で構成し、錘本体３２から突き出した貫入部３４の全体形状が概略「Ｒ」字をなしている。具体的には、鋼線材の一端を円弧状に湾曲させたあと反対側に少し反りかえるように湾曲させて、釣針係止部３６を構成している。釣針係止部３６の下端が閉じられておらず開口している。
【００３８】
この場合、軟質疑似餌２０の内部で釣針１０を釣針係止部３６に係止する際に、釣針１０を釣針係止部３６の空間に差し込む方法だけでなく、釣針１０を釣針係止部３６の開口から上向きに嵌め込むような方法も採用できる。軟質疑似餌２０に対して、先に釣針１０を配置しておき、軟質疑似餌２０の先端に貫入部３４を貫入して釣針１０の位置を通過させたあと引き戻し、釣針係止部３６を開口から釣針１０に引っ掛けるようにして係止することもできる。
図５（ｂ）では、貫入部３４の上部で、鋼線材を螺旋状に巻回してコイルバネの形態にしている。コイルバネを構成する各螺旋の隙間が釣針係止部３６になる。すなわち、釣針１０を、貫入部３４の螺旋の隙間に差し込むようにして係止することになる。貫入部３４の各螺旋は弾力的に変形できるので、釣針１０で隙間をこじ開けるようにすれば、容易に差し込むことができる。釣針１０が螺旋部分を通過したあとは、各螺旋が弾力的に復元して釣針１０を挟みつけるようになるので、係止状態は安定しており、みだりに外れることはない。釣針１０は、螺旋部分の何れの位置および方向から差し込んでも係止できる。外部からは見え難い軟質疑似餌２０の内部でも、釣針１０を釣針係止部３６に係止する作業が容易かつ確実に行える。
【００３９】
図５（ｃ）では、板片状の貫入部３４に、軸方向に沿って３個所に貫通孔をあけて３個の釣針係止部３６を設けている。何れか１個所の釣針係止部３６に釣針１０を係止させれば、釣針１０と錘３０とを固定することができる。釣りに使用する釣針１０によって、下端の湾曲形状が違い、軟質疑似餌２０に突き刺したときに釣針１０が通過する位置が違ってくることがある。このような場合でも、上下に多くの釣針係止部３６を備えた錘３０であれば、何ら問題なく対応させることができる。
〔錘形状の変更例〕
図６は、さらに、錘本体３２の形状が異なる例を示す。ここでも、基本的な材料や構造は前記各実施形態と共通するので、相違点を主に説明する。図６では、貫入部３４については簡略して図示しているが、前記各実施形態の貫入部３４と組み合わせることができる。
【００４０】
図６（ａ）では、概略分銅形の錘本体３２を採用している。図４（ａ）とは上下が逆の円錐台形である。下端側に重量があるので、水中および水底で安定した姿勢を維持できる。また、下端には面取りを施して先細り状にしているので、水中での沈下はスムーズであり沈下速度は十分に速くなる。
図６（ｂ）では、水平方向に延びる棒状の錘本体３２を採用している。水平方向の一端は斜め上向きに反っており、左右のバランスを崩している。このような錘本体３２は、水中を沈下するときに、左右に揺れたり斜め方向に沈んで行ったりする複雑な動きをすることで、魚を誘引する効果を高める。錘本体３２の外面は滑らかな曲面で構成されているので、水中での抵抗はそれほど大きくはならず、沈下はスムーズである。疑似餌仕掛けに魚が食い付いたときに、魚の口内で左右に張り出す錘本体３２が引っ掛かって抜け出し難くなり、食い付いた魚に逃げられることが防止できる。
【００４１】
図６（ｃ）では、錘本体３２が、水平方向から斜め下向きに延びて「へ」字形をなしている。左右のバランスが崩れているのは、前記図６（ｂ）の形態と共通しており、同様の機能が発揮できる。斜め下向きに延びる部分は、実質的に先細り形状を構成しているので、水中への沈下は迅速である。水中で斜め下向きに沈下することで、真下に沈下する場合よりも、障害物の上に載ったままになり難く、障害物の側方を滑るようにしてすり抜け易くなる。水面に浮いた障害物の側方から障害物の下方に生息する魚を目指して疑似餌仕掛けを誘導することもできる。
【産業上の利用可能性】
【００４２】
本発明の疑似餌仕掛けは、例えば、バス釣りに利用することができる。バスが生息するような障害物の多い水域においても、水面から目的の深さ位置まで迅速に沈下させることができ、また、バスに対する誘引効果も良好であり、釣果を高めることができる。
【図面の簡単な説明】
【００４３】
【図１】本発明の実施形態を表す疑似餌仕掛けの正面図（ａ）および断面図（ｂ）
【図２】疑似餌仕掛け用錘の斜視図
【図３】疑似餌仕掛けの組立て方法を説明する正面図
【図４】錘の別の実施形態を示す正面図
【図５】貫入部の別の実施形態を示す正面図
【図６】錘の別の実施形態を示す正面図
【符号の説明】
【００４４】
１０    釣針
１２    針先
１４    釣糸取付部
２０    軟質疑似餌
２２    円柱部
２４    紐状部
３０    錘
３２    錘本体
３４    貫入部
３６    釣針係止部
３８    貫通孔
Ｌ    釣糸
【図１】
2006325468.tif 000003
【図２】
2006325468.tif 000004
【図３】
2006325468.tif 000005
【図４】
2006325468.tif 000006
【図５】
2006325468.tif 000007
【図６】
2006325468.tif 000008